(57)【要約】【課題】通常は冷蔵庫等に保管し、そのまま電子レンジで調理可能な容器が求められる。食品等がこぼれないように、蓋は必要であるが、調理時の蒸気を逃がす必要が有る。【解決手段】蓋と容器本体の嵌合部に、わずかに隙間を設け、電子レンジ調理中の蒸気を逃がす。また、隙間が直接外部に開放されていると、食品の汁などが吹きこぼれるので、隙間の近傍に壁ができる様に装置し、迷路を構成する。【選択図】図４
2006182445.tif 000002
【特許請求の範囲】
【請求項１】
耐熱温度が１００℃以上の樹脂にて成形され、底板と略垂直な側壁を有し、上部が開放された容器と、容器と略同等の材質で成形された蓋を備え、蓋は、容器上縁部の面積よりもわずかに大きく、蓋の外縁部から下側に伸びた略垂直の短い側壁が、容器側壁の外側に被さり嵌合する、電子レンジ用の容器において、容器と蓋の嵌合部が、下記のいずれかの構造である事を特徴とする、電子レンジ用の容器。
１、蓋の外縁近傍の下側で、容器側壁の上縁と接する部分に、１ヶ所以上の凸形状又は、凹形状を設けた。
２、容器側壁の上縁に、１ヶ所以上の凸形状又は、凹形状を設けた。
３、容器側壁の上縁近傍に、１ヶ所以上の貫通孔を設けた。
４、蓋の外縁近傍の下側で、容器側壁の上縁と接する部分と、容器側壁の上縁の一方または両方に、粗面を設けた。
５、蓋の外縁近傍の下側で、容器側壁の上縁と接する部分と、容器側壁の上縁の一方または両方に、無数の突起や凹凸を設けた。
【請求項２】
蓋外周部の下向きの側壁と、容器側壁の間には、０．１ｍｍ以上の隙間を設けた事を特徴とする、請求項１に記載の電子レンジ用の容器。
【請求項３】
蓋の外周部の下向きの側壁を１ヶ所以上、外側に向けて膨らませ、又は、容器の側壁を、１ヶ所以上、内側に向けて膨らませる事により、蓋の側壁と、容器の側壁との間に隙間を設けた事を特徴とする、請求項１又は２に記載の、電子レンジ用の容器。
【請求項４】
容器本体の内側に、容器本体よりも小さく、下記のいずれか、またはすべての特徴を有する内容器を装置した事を特徴とする、請求項１から３に記載の、電子レンジ用の容器。
１、底部と側壁の一方または両方に貫通孔やスリットを設けた。
２、内容器の一部または全部を、格子や網目で構成した。
３、底部下側に、１ヶ所以上の突起、または凸形状、またはリブを設けた。
【請求項５】
請求項４に記載の内容器の側壁上縁部分を、下記のいずれかに構成する事により、内容器を容器本体内に装置した場合のみ蒸気を逃がす隙間が形成され、内容器を外した状態で蓋を容器に被せた場合は隙間が無くなり、略密閉される事を特徴とする、電子レンジ用の容器。
１、内容器の高さを、容器本体の底面から蓋の裏側までの高さよりも僅かに高くし、内容器の側壁上縁部に、１ヶ所以上の凹部または１ヶ所以上の凹凸部や粗面を設けた。
２、内容器の高さを、容器本体の底面から蓋の裏側までの高さよりも僅かに高くし、内容器の側壁上縁部に鍔形状を設け、この鍔部分に、１ヶ所以上の凹部または、１ヶ所以上の凹凸部や粗面を設けた。
【発明の詳細な説明】
【技術分野】
【０００１】本発明は、主として食品を入れ、電子レンジで加熱調理が可能な、調理器具兼用の蓋付き容器に関する。
【背景技術】
【０００２】電子レンジで使用可能な耐熱樹脂製の蓋付き容器は市販されているが、電子レンジで調理する際、蒸気を逃がす為に蓋を取るか、蓋をずらす必要が有る。
また、蓋に開閉式の貫通孔を設けたものが有るが、製造コストが高くなってしまう。
【発明の開示】
【発明が解決しようとしている課題】
【０００３】通常は冷蔵庫等に保管し、そのまま電子レンジで調理可能な容器が求められる。
食品等がこぼれないように、蓋は必要であるが、調理時の蒸気を逃がす必要が有る。
【課題を解決する為の手段】
【０００４】蓋と容器本体の嵌合部に、わずかに隙間を設け、電子レンジ調理中の蒸気を逃がす。また、隙間が直接外部に開放されていると、食品の汁などが吹きこぼれるので、隙間の近傍に壁ができる様に装置し、迷路を構成する。
【発明の効果】
【０００５】容器に食品を入れて冷蔵庫等に保管し、必要な時にそのまま電子レンジに入れて調理可能となり、極めて利便性が増す。
【発明を実施するための最良の形態】
【０００６】容器と蓋の間に、蒸気が通る隙間を設ける為、蓋の裏側で容器の側壁上部に接する部分に複数の凸部を設ける。また、側壁の外周よりも、蓋の外周をわずかに大きく構成する事により、容器内から発生した蒸気は、容器側壁の上部を通過した後、蓋の外周部の側壁にぶつかり、下向きに放出される。しかし、食品の汁等は、この迷路により、蓋の隙間からこぼれる事は無い。
【実施例】
【０００７】図１は、本発明品の、電子レンジ用の容器である。略長方形の底板に、側壁を有し、上部が開放された容器と、それに被せる蓋とで構成される。１は、容器本体で、２は蓋である。図２は、本発明品の蓋２を裏側から見た図であり、凸部３が４ヶ所構成されている。図３は、前記凸部３の断面図である。凸部３は、容器１の側壁上縁と接している為、蓋２は、容器１に対して、凸部の高さ分だけ浮き上がっている。この構成により、電子レンジ調理時の蒸気を、隙間から逃がす事が可能となる。尚、蒸気だけを逃がす事が目的の為、凸部の高さは、極僅かで良い。従って、食品の汁がこぼれる事は、ほとんど無い。
蓋２の裏側に凸部３を設ける替わりに、容器１の側壁上部に凸形状を設けても、同様の効果を得る事が可能で、他に、凹凸や無数の突起を設ける構成なども有る。以上が、請求項１の実施例である。【０００８】図４は、容器１と蓋２の嵌合部の断面図である。蓋２の外周部に設けた、下向きの短い側壁４と、容器１の側壁との間に、０．１ｍｍ以上の隙間５を設ける。この構成により、凸部３により形成された隙間を通った蒸気は、この隙間５を通って外部に放出される。しかし、食品の汁などの液体は、隙間が狭い為、ほとんどこぼれない。
また、隙間５は、容器１の側壁全周に構成する必要は無く、一部分だけでも効果を発揮できる。以上が請求項２の実施例である。【０００９】請求項３は、請求項２の隙間を局所的に設けた構造であり、図５を使って説明する。図５は、蓋２を裏側（下側）から見た図である。
蓋２の下向き側壁４の１ヶ所または数ヶ所を、半円形に外側に膨らませる。この構成により、容器側壁と、蓋２との間に、半円柱形状の、僅かな隙間６が形成される。この隙間６の位置を、請求項１に記載の凸部３の近傍にすれば、蒸気は請求項１の隙間を通った後、容器１の側壁上縁と蓋２の間を水平に移動し、その後、半円柱形状の隙間６を通ってその下部から排出される。この迷路構造により、電子レンジ調理中に発生した蒸気は抜けるが、食品の汁は、ほとんどこぼれない。以上が、請求項３の実施例である。【００１０】図６は、請求項４と５の実施例である。調理器具としての利便性を上げる為、無数の貫通孔を設けた内容器７を、本発明品の内側に装置する。内容器７の底部下側には、複数の突起を設け、僅かに容器１の底から浮き上がる様に装置する。以上の様に構成し、食品を内容器７の中に入れ、電子レンジで調理を行えば、調理中に発生した余分な水分は、容器１の底に溜まり、食品が水っぽくなるのを防ぐ事ができる。以上が、請求項４の実施例である。
請求項５では、さらに機能を高め、内容器７の上部から、蒸気を逃がす構造とした。図６で、内容器７の高さを、容器１の底から蓋２の裏側までの高さよりも、僅かに高くする。この構成で、内容器７の側壁上縁に、複数の凸部や、凹凸、粗面を設ければ、請求項１に記載の隙間と同様の隙間を確保できる。また、本構成で内容器７を取り外せば、蓋に凸部３が無いので、通常の密閉容器と同様になる。つまり、内容器７を挿入すれば、電子レンジ調理器となり、内容器７を外せば、密閉された保管容器となり、極めて利便性が高い。
以上が、請求項５の実施例である。
【産業上の利用可能性】
【００１１】本発明によれば、食品を入れて冷蔵庫等に保管する容器が、そのまま電子レンジ用の調理器具として使う事が可能で、極めて利便性が高い。１つの容器が２つの用途に使える為、スペースの限られた台所に置いても、無駄が無い。
【図面の簡単な説明】
【００１２】
【図１】本発明品の、側面図である。
【図２】本発明品の、蓋の下面図である。
【図３】本発明品の、蓋の断面図である。
【図４】請求項２の、断面図である。
【図５】請求項３の、蓋の下面図である。
【図６】請求項４及び５の、断面図である。
【符号の説明】
【００１３】１、本発明の、容器本体
２、蓋
３、蓋に一体成形された凸部
４、蓋の外周縁に設けた、下向きの側壁
５、隙間
６、半円柱状の蒸気通路
７、網目状の部材で構成した、内容器
８、本体と別体の、固定部材単体
【図１】
2006182445.tif 000003
【図２】
2006182445.tif 000004
【図３】
2006182445.tif 000005
【図４】
2006182445.tif 000006
【図５】
2006182445.tif 000007
【図６】
2006182445.tif 000008